(57)【要約】【課題】全開状態のカーテンによる日射量の低下を抑制できる農業用ハウスを提供する。【解決手段】農業用ハウス１は、ハウス本体２と、ハウス本体２の内側に屋根２３に沿って設けられたカーテン５とを備えている。カーテン５は、ハウス本体２の奥行方向（Ｙ軸方向）に延長されている支持部６にて支持され、支持部６に沿って奥行方向に開閉するように構成されている。カーテン５は、奥行方向の一端を固定端、他端を自由端として、固定端を定位置に固定しつつ、支持部６上を移動する滑車の移動を伴って自由端を奥行方向に移動させることで、支持部６に沿って奥行方向に開閉する。そのため、カーテン５は、自由端が固定端に最も近づいた状態で全開状態となり、自由端が固定端から最も離れた状態で全閉状態となる。【選択図】図１
2014057567.tif 000002
【特許請求の範囲】
【請求項１】
互いに対向する一対の側壁と前記一対の前記側壁の上端同士を繋ぐ屋根とが奥行方向に延長されたハウス本体と、前記ハウス本体の内側に前記屋根に沿って設けられたカーテンとを備え、
前記カーテンは、前記奥行方向に延長されている支持部にて支持され、前記奥行方向に沿って開閉するように構成されている
ことを特徴とする農業用ハウス。
【請求項２】
前記ハウス本体は、前記奥行方向の両端部に、前記奥行方向に直交する平面に沿って配置されており少なくとも前記屋根を支持する梁を備え、
前記支持部は、前記梁に固定されている
ことを特徴とする請求項１に記載の農業用ハウス。
【請求項３】
前記支持部は、前記一対の前記側壁の対向方向である幅方向に３本以上並べて設けられており、前記側壁から離れるほど前記カーテンの高さが高くなるように、前記側壁からの距離に応じて前記カーテンを支持する高さが異なっている
ことを特徴とする請求項１または２に記載の農業用ハウス。
【請求項４】
前記支持部は、前記カーテンの上方に配置されており、前記カーテンを吊り下げることにより支持する
ことを特徴とする請求項３に記載の農業用ハウス。
【請求項５】
複数本の前記支持部のうち、前記幅方向の両端に位置する一対の支持部は、前記カーテンにおける前記幅方向の中央部と両端部との間の部位を吊り下げている
ことを特徴とする請求項４に記載の農業用ハウス。
【請求項６】
前記一対の前記支持部は、前記カーテンにおける前記幅方向の中央部よりも両端部に近い部位を吊り下げている
ことを特徴とする請求項５に記載の農業用ハウス。
【請求項７】
前記カーテンにおける前記一対の前記支持部より前記側壁側の各部分の下方には、前記奥行方向に延長された線状部材が設けられており、
前記カーテンは、前記幅方向の両端部が前記線状部材に掛けられている
ことを特徴とする請求項５または６に記載の農業用ハウス。
【請求項８】
前記カーテンの前記幅方向の両端部には、前記線状部材を囲む留め具が取り付けられている
ことを特徴とする請求項７に記載の農業用ハウス。
【請求項９】
前記ハウス本体の内側に設置され、少なくとも温度を含む環境情報を検出するセンサと、
前記カーテンを開閉させる開閉装置と、
前記センサの検出結果に応じて前記カーテンが自動的に開閉するように前記開閉装置を制御する制御部とをさらに備える
ことを特徴とする請求項１〜８のいずれか１項に記載の農業用ハウス。
【請求項１０】
前記カーテンは、前記奥行方向の各端部において、少なくとも前記一対の前記側壁の対向方向の両端間を連結する芯材を有しており、前記芯材が前記支持部に沿って前記奥行方向に移動することにより開閉するように構成されている
ことを特徴とする請求項１〜９のいずれか１項に記載の農業用ハウス。
【請求項１１】
前記カーテンを開閉させる開閉装置をさらに備え、
前記開閉装置は、
前記カーテンの前記奥行方向の一端からなる自由端に結合された紐体を巻き取ることにより、前記自由端を奥行方向に移動させる回転ドラムと、
前記回転ドラムと前記自由端との間で前記紐体が掛け回される第１滑車と、
前記回転ドラムと前記第１滑車との間で前記紐体が掛け回される第２滑車とを有し、
前記回転ドラムおよび前記第１滑車は前記屋根に沿って配置されており、
前記第２滑車は、前記回転ドラムおよび前記第１滑車の下方に配置されている
ことを特徴とする請求項１〜１０のいずれか１項に記載の農業用ハウス。
【請求項１２】
前記回転ドラムおよび前記第１滑車の下方には、前記第２滑車および前記紐体の周囲を囲むように柵が設けられており、
前記第２滑車は前記柵に固定されている
ことを特徴とする請求項１１に記載の農業用ハウス。
【請求項１３】
前記カーテンは、他の部位よりも強度が高く前記一対の前記側壁の対向方向の両端間に亘って延長された補強帯を有し、当該補強帯の部分が前記支持部に支持されており、
前記補強帯は、前記奥行方向に所定の間隔で複数本設けられている
ことを特徴とする請求項１〜１２のいずれか１項に記載の農業用ハウス。
【発明の詳細な説明】
【技術分野】
【０００１】
本発明は、農作物の栽培に用いられる農業用ハウスに関する。
【背景技術】
【０００２】
一般的に、この種の農業用ハウス（ビニールハウス）は、室内の気温、湿度等を維持して外界とは異なる農作物の栽培に適した環境を実現する（たとえば特許文献１参照）。特許文献１に記載の農業用ハウスは、ハウス内の温度、湿度を一定に保つために、開閉可能なカーテン（樹脂フィルム等）が設けられている。
【０００３】
この農業用ハウスは、カーテンの端に固着した巻取軸端に直流モータの回転軸を直結した（換気窓）開閉装置を採用している。この開閉装置は、ハウス側面内側に近接した位置に設置した支持台に下端を軸止し、上端をモータに連結した支持アームを有している。この支持アームは、モータが巻取軸を回転させてカーテンを巻取りながらハウスの構造材上を摺接するのに合わせて伸縮する。
【０００４】
また、特許文献２に記載の農業用ハウス（温室）は、上部空間を仕切って保温効果を高めるための開閉可能な天井カーテンを備えている。この農業用ハウスは、左側支柱と右側支柱との上端部同士が屋根で繋がっており、天井カーテンを構成する複数のカーテンは、屋根に沿って棟の短手方向（左側支柱と右側支柱との対向方向）に移動することで開閉する。
【先行技術文献】
【特許文献】
【０００５】
【特許文献１】特開平８−７０７１０号公報
【特許文献２】特開２０１０−２６８７３４号公報
【発明の概要】
【発明が解決しようとする課題】
【０００６】
ところで、特許文献１に記載の農業用ハウスにおいては、モータは、ハウス上面を覆うカーテンを巻取軸にて端から巻取ってその巻取端を上方に変位させることでカーテンを開きつつ、自身もハウスの構造材上を上方へと変位する。そのため、この農業用ハウスでは、カーテンは、全開時、巻取軸により下端からハウスの屋根の頂部付近に溜まることになる。また、特許文献２に記載の農業用ハウスにおいても、カーテンは、全開時、屋根の頂部付近あるいは屋根における支柱との連結部付近に集められることになる。
【０００７】
したがって、これらの農業用ハウスにおいては、カーテンの全開時であっても、カーテンがハウス内への日射を遮る場所に溜まることになり、カーテンによって日射量が低下し農作物の育成に影響を与える可能性がある。
【０００８】
本発明は上記事由に鑑みて為されており、全開状態のカーテンによる日射量の低下を抑制できる農業用ハウスを提供することを目的とする。
【課題を解決するための手段】
【０００９】
本発明の農業用ハウスは、互いに対向する一対の側壁と前記一対の前記側壁の上端同士を繋ぐ屋根とが奥行方向に延長されたハウス本体と、前記ハウス本体の内側に前記屋根に沿って設けられたカーテンとを備え、前記カーテンは、前記奥行方向に延長されている支持部にて支持され、前記奥行方向に沿って開閉するように構成されていることを特徴とする。
【００１０】
この農業用ハウスにおいて、前記ハウス本体は、前記奥行方向の両端部に、前記奥行方向に直交する平面に沿って配置されており少なくとも前記屋根を支持する梁を備え、前記支持部は、前記梁に固定されていることが望ましい。
【００１１】
この農業用ハウスにおいて、前記支持部は、前記一対の前記側壁の対向方向である幅方向に３本以上並べて設けられており、前記側壁から離れるほど前記カーテンの高さが高くなるように、前記側壁からの距離に応じて前記カーテンを支持する高さが異なっていることがより望ましい。
【００１２】
この農業用ハウスにおいて、前記支持部は、前記カーテンの上方に配置されており、前記カーテンを吊り下げることにより支持することがより望ましい。
【００１３】
この農業用ハウスにおいて、複数本の前記支持部のうち、前記幅方向の両端に位置する一対の支持部は、前記カーテンにおける前記幅方向の中央部と両端部との間の部位を吊り下げていることがより望ましい。
【００１４】
この農業用ハウスにおいて、前記一対の前記支持部は、前記カーテンにおける前記幅方向の中央部よりも両端部に近い部位を吊り下げていることがより望ましい。
【００１５】
この農業用ハウスにおいて、前記カーテンにおける前記一対の前記支持部より前記側壁側の各部分の下方には、前記奥行方向に延長された線状部材が設けられており、前記カーテンは、前記幅方向の両端部が前記線状部材に掛けられていることがより望ましい。
【００１６】
この農業用ハウスにおいて、前記カーテンの前記幅方向の両端部には、前記線状部材を囲む留め具が取り付けられていることがより望ましい。
【００１７】
この農業用ハウスにおいて、前記ハウス本体の内側に設置され、少なくとも温度を含む環境情報を検出するセンサと、前記カーテンを開閉させる開閉装置と、前記センサの検出結果に応じて前記カーテンが自動的に開閉するように前記開閉装置を制御する制御部とをさらに備えることがより望ましい。
【００１８】
この農業用ハウスにおいて、前記カーテンは、前記奥行方向の各端部において、少なくとも前記一対の前記側壁の対向方向の両端間を連結する芯材を有しており、前記芯材が前記支持部に沿って前記奥行方向に移動することにより開閉するように構成されていることがより望ましい。
【００１９】
この農業用ハウスにおいて、前記カーテンを開閉させる開閉装置をさらに備え、前記開閉装置は、前記カーテンの前記奥行方向の一端からなる自由端に結合された紐体を巻き取ることにより、前記自由端を奥行方向に移動させる回転ドラムと、前記回転ドラムと前記自由端との間で前記紐体が掛け回される第１滑車と、前記回転ドラムと前記第１滑車との間で前記紐体が掛け回される第２滑車とを有し、前記回転ドラムおよび前記第１滑車は前記屋根に沿って配置されており、前記第２滑車は、前記回転ドラムおよび前記第１滑車の下方に配置されていることがより望ましい。
【００２０】
この農業用ハウスにおいて、前記回転ドラムおよび前記第１滑車の下方には、前記第２滑車および前記紐体の周囲を囲むように柵が設けられており、前記第２滑車は前記柵に固定されていることがより望ましい。
【００２１】
この農業用ハウスにおいて、前記カーテンは、他の部位よりも強度が高く前記一対の前記側壁の対向方向の両端間に亘って延長された補強帯を有し、当該補強帯の部分が前記支持部に支持されており、前記補強帯は、前記奥行方向に所定の間隔で複数本設けられていることがより望ましい。
【発明の効果】
【００２２】
本発明によれば、カーテンは、ハウス本体の奥行方向に延長されている支持部にて支持され、支持部に沿って奥行方向に開閉するように構成されているので、全開状態のカーテンによる日射量の低下を抑制できるという利点がある。
【図面の簡単な説明】
【００２３】
【図１】実施形態１に係る農業用ハウスの構成を示し、（ａ）は正面図、（ｂ）は上面図である。
【図２】実施形態１に係る農業用ハウスの構成を示す斜視図である。
【図３】実施形態１に係る農業用ハウスの要部を示し、（ａ）は正面図、（ｂ）は側面図である。
【図４】実施形態１に係る農業用ハウスの開閉装置の概略構成図である。
【図５】実施形態１に係る農業用ハウスの要部を示す正面図である。
【図６】実施形態１に係る農業用ハウスの折返機構の動作説明図である。
【図７】実施形態１に係る農業用ハウスの変形例の構成を示すブロック図である。
【図８】実施形態２に係る農業用ハウスの構成を示す斜視図である。
【図９】実施形態３に係る農業用ハウスの開閉装置の概略構成図である。
【図１０】実施形態３に係る農業用ハウスの要部を示し、（ａ）は正面図、（ｂ）は側面図である。
【図１１】実施形態３に係る農業用ハウスの要部を示す正面図である。
【発明を実施するための形態】
【００２４】
以下の実施形態では、ハウス本体と、ハウス本体内に屋根に沿って設けられたカーテンとを備え、室内の気温、湿度等を維持して外界とは異なる農作物の栽培に適した環境を実現する農業用ハウスについて説明する。以下では、主として軟弱野菜（ほうれん草、小松菜等）の栽培に用いられる農業用ハウスを例として説明するが、農業用ハウスの用途を限定する趣旨ではない。
【００２５】
（実施形態１）
本実施形態に係る農業用ハウス１は、図２に示すように、ハウス本体２と、カーテン５とを備えている。なお、以下では、図２に示したＸ軸方向（農業用ハウス１の幅方向）、Ｙ軸方向（農業用ハウス１の奥行方向）、Ｚ軸方向（農業用ハウス１の高さ方向）を用いて説明する。
【００２６】
ハウス本体２は、互いに対向する一対の側壁２１，２２と、一対の側壁２１，２２の上端同士を繋ぐ屋根２３とがＹ軸方向（奥行方向）に延長された形状に構成されている。また、図２の例では、ハウス本体２はＹ軸方向の両端部に妻壁２４を有しており、この妻壁２４にはハウス本体２内への人の出入りのための出入口（図示せず）が設けられている。
【００２７】
具体的には、ハウス本体２は、アルミニウム等の金属製のフレーム（骨組）３と、透光性を有しフレーム３に保持される被覆材４とを備えている。被覆材４は、ハウス本体２の略全体を覆うように設けられている。被覆材４は、たとえば太陽光を殆ど遮らずに雨風を凌ぎ、且つハウス本体２内の保温、保湿を実現すべく透明なビニルシートやガラス製であってもよいし、通気性を考慮して部分的に網（防虫網など）で構成されていてもよい。
【００２８】
フレーム３は、アーチ状を成しＹ軸方向（奥行方向）に複数本並ぶアーチ部３１と、各々がＹ軸方向に延長され複数本のアーチ部３１を連結する複数本の連結部材３２とを有している。複数本のアーチ部３１の各々は、Ｚ軸方向（高さ方向）に沿う一対の壁片３１１，３１２と、これら一対の壁片３１１，３１２の上端同士を繋ぐ屋根片３１３とで構成されている。
【００２９】
つまり、Ｙ軸方向に並ぶ複数本の壁片３１１およびこれらの壁片３１１間に設けられた被覆材４が側壁２１を構成し、Ｙ軸方向に並ぶ複数本の壁片３１２およびこれらの壁片３１２間に設けられた被覆材４が側壁２２を構成する。また、Ｙ軸方向に並ぶ複数本の屋根片３１３およびこれらの屋根片３１３間に設けられた被覆材４が屋根２３を構成する。ここで、各アーチ部３１は、屋根片３１３がＸ軸方向（幅方向）の中央部ほど高くなるように上方に凸となる形、たとえば半円状や三角形状に形成される。そのため、屋根２３は、たとえば半円柱状や三角柱状に形成されることになる。
【００３０】
複数本の連結部材３２は、少なくともＹ軸方向に並ぶ複数本の壁片３１１の上端（屋根片３１３との連結点）同士を連結する肩部３２１と、Ｙ軸方向に並ぶ複数本の壁片３１２の上端（屋根片３１３との連結点）同士を連結する肩部３２２とを含んでいる。つまり、ハウス本体２の側壁２１，２２と屋根２３とは、肩部３２１，３２２によって区切られている。さらに、複数本の連結部材３２は、肩部３２１，３２２の他、Ｙ軸方向に並ぶ複数本の屋根片３１３の頂部同士を連結する棟部３２３を含んでいる。
【００３１】
また、ハウス本体２のフレーム３は、Ｙ軸方向の両端部に、Ｙ軸方向に直交する平面（図２のＸ−Ｚ平面）に沿って配置されており少なくとも屋根２３を支持する梁３３をさらに有している。梁３３は、Ｙ軸方向の両端に位置する各アーチ部３１の内側に設けられている。つまり、Ｙ軸方向の両端の各アーチ部３１および梁３３と、これら各アーチ部３１の内側に設けられた被覆材４とが妻壁２４を構成する。
【００３２】
ハウス本体２のＹ軸方向の両端に位置する各妻壁２４にはファン２４１が設けられている。ファン２４１は、妻壁２４におけるＸ軸方向の中央部であって、且つ上端部の近傍に設けられ、梁３３に支持されている。したがって、この農業用ハウス１は、ファン２４１を作動（回転）させることでハウス本体２内に強制的に空気流が生じ、ハウス本体２の内部空間の換気（空気の入れ替え）を行うことができる。
【００３３】
ところで、本実施形態の農業用ハウス１においては、カーテン５は、上述したように構成されるハウス本体２の内側に屋根２３に沿って設けられている。このカーテン５は、Ｙ軸方向（奥行方向）に延長されている支持部６（図１参照）にて支持され、支持部６に沿ってＹ軸方向に開閉するように構成されている。ここでは一例として、カーテン５は、遮光率が６５〜７５％程度の減光用のカーテンであって、全閉状態では屋根２３を通してハウス本体２内に照射する太陽光（日射）の一部を遮る機能を持つ。軟弱野菜などにおいては、ハウス本体２内に照射する光が強過ぎると光合成の効率が悪くなるが、農業用ハウス１は、このような減光用のカーテン５を有することで、ハウス本体２内への日射量を調節して農作物の栽培に適した環境を実現できる。
【００３４】
以下、カーテン５および支持部６の具体的な構成について図１および図３を参照して説明する。
【００３５】
支持部６は、ハウス本体２のＹ軸方向の両端間、つまり一対の妻壁２４間に張られた複数本の線状部材からなる。ここでいう線状部材はたとえばワイヤやロープなどである。本実施形態では、支持部６は梁３３（図２参照）に固定されている。つまり、上述したようにハウス本体２のＹ軸方向の両端に位置する妻壁２４には少なくとも屋根２３を支持する梁３３が設けられているので、本実施形態の農業用ハウス１は、この梁３３を支持部６の両端部を固定するための部材として兼用している。カーテン５は、支持部６に吊り下げられる形で支持部６にて支持される。
【００３６】
支持部６は、一対の側壁２１，２２の対向方向であるＸ軸方向（幅方向）に３本以上並べて設けられている。本実施形態では、支持部６は、各肩部３２１，３２２（図２参照）の近傍と、棟部３２３（図２参照）の近傍との各位置に１本ずつ設けられている。これら計３本の支持部６はＸ軸方向（幅方向）に略等間隔で設けられている。ここで、これら複数本（本実施形態では３本）の支持部６は、側壁２１（または側壁２２）から離れるほどカーテン５の高さが高くなるように、側壁２１（または側壁２２）からの距離に応じてカーテンを支持する高さが異なっている。言い換えれば、複数本の支持部６は、図１（ｂ）に示すようにＸ軸方向の中央に近い支持部６ほど高い位置に配置されており、これによりカーテン５はＸ軸方向の中央部が最も高くなるように屋根２３の形状に沿って支持される。
【００３７】
各支持部６には、図３に示すように、その長手方向（Ｙ軸方向）に並ぶように滑車７１が複数個ずつ取り付けられており、これらの滑車７１は、各々、支持部６に沿って支持部６上を移動自在に構成されている。そのため、同一の支持部６上においてＹ軸方向に隣接する滑車７１間の間隔は変化する。各滑車７１には、各々カーテン５を保持するためのクランプ７２が吊り下げられる形で連結されている。
【００３８】
カーテン５は、たとえば合成樹脂性であって、開閉自在とするのに十分な可撓性を持つ。カーテン５は、各滑車７１に連結されたクランプ７２に各部が挟まれる形で保持され、Ｘ軸方向の複数箇所において各支持部６に吊り下げられるようにして、複数本の支持部６にて支持される。これにより、カーテン５のうちクランプ７２に保持された各部位は、滑車７１の移動に伴い支持部６に沿ってＹ軸方向に移動する。ただし、カーテン５のＹ軸方向の一端部を保持するクランプ７２は、支持部６の長手方向（Ｙ軸方向）の一端部から移動しないように、ハウス本体２のフレーム３（梁３３）に対して固定されている。
【００３９】
上記構成によれば、滑車７１が支持部６に沿って支持部６上を移動すると、滑車７１に連結されているクランプ７２はカーテン５と共にＹ軸方向に移動するので、結果的に、カーテン５が開閉する。つまり、カーテン５は、Ｙ軸方向の一端を固定端、他端を自由端として、固定端を定位置に固定しつつ、滑車７１の移動を伴って自由端をＹ軸方向に移動させることで、支持部６に沿ってＹ軸方向に開閉する。そのため、カーテン５は、自由端が固定端に最も近づいた状態で全開状態となり、自由端が固定端から最も離れた状態で全閉状態となる。なお、全閉状態にあるカーテン５は、ハウス本体２における屋根２３の略全域を覆うことになる。
【００４０】
さらに、この構成において、カーテン５を支持する複数本の支持部６には同数の滑車７１が取り付けられており、且つ、カーテン５が全閉状態にあるとき、これら複数本の支持部６に支持されたクランプ７２はＸ軸方向に沿った同一直線上に位置する。言い換えれば、カーテン５は、異なる支持部６に吊り下げられた複数個のクランプ７２にてＹ軸方向の同一位置が保持される形で、支持部６に支持される。したがって、カーテン５は、全閉状態から全開状態になる際、Ｙ軸方向においてクランプ７２にて保持された部位の間が垂れ下がるようにして折り畳まれる。つまり、全開状態にあるカーテン５は、クランプ７２にて保持された部位で山折りとなるように折り畳まれることになる。
【００４１】
また、本実施形態の農業用ハウス１は、ユーザがカーテン５の開閉を比較的容易に行えるように、滑車７１を移動させてカーテン５を開閉するための開閉装置８（図４参照）をさらに備えている。
【００４２】
開閉装置８は、図４に示すように、ハウス本体２のＹ軸方向の両端部に固定された定滑車８１，８２と、これら一対の定滑車８１，８２間に架かる環状の紐体８３とを有している。ここでいう紐体８３はたとえばロープやワイヤなどである。紐体８３は、その一部にカーテン５の自由端が結合されている。さらに本実施形態では、カーテン５は、紐体８３との結合部位のＹ軸方向の延長線上に、フック等の引掛具（図示せず）を複数個有しており、これらの引掛具に紐体８３が挿通されている。なお、カーテン５を保持するクランプ７２あるいは滑車７１に、紐体８３を挿通できるような孔があれば、紐体８３は引掛具に代えてこれらの孔に挿通されていてもよい。
【００４３】
これにより、開閉装置８は、定滑車８１，８２を回転させることにより、紐体８３が移動して、カーテン５の自由端を滑車７１と一緒にＹ軸方向に移動させることができる。開閉装置８は、カーテン５を閉じるときには、カーテン５の自由端が固定端から離れる向きに紐体８３を移動させ（図４（ａ）の状態）、カーテン５を開くときには、カーテン５の自由端が固定端に近づく向きに紐体８３を移動させる（図４（ｂ）の状態）。
【００４４】
ここで、カーテン５は、Ｙ軸方向（奥行方向）の各端部において、少なくとも一対の側壁２１，２２の対向方向（Ｘ軸方向）の両端間を連結する芯材５１，５２（図１（ｂ）参照）を有しており、芯材５１が支持部６に沿ってＹ軸方向に移動することにより開閉する。つまり、カーテン５のＹ軸方向の両端（固定端および自由端）には、それぞれＸ軸方向に延長された棒状の芯材５１，５２が設けられている。開閉装置８は、定滑車８１，８２および紐体８３の組み合わせとして、定滑車８１１，８２１および紐体８３１と、定滑車８１２，８２２および紐体８３２との２組を有している（図１（ｂ）参照）。この開閉装置８は、カーテン５の自由端に設けられた芯材５１の両端部に各組の紐体８３１，８３２を結合している。
【００４５】
そのため、開閉装置８は、定滑車８１１，８２１，８１２，８２２を回転させて両方の紐体８３１，８３２を同時に移動させることにより、カーテン５の自由端に設けられた芯材５１のＸ軸方向の両端部を同時に移動させることができる。これにより、カーテン５は、自由端がＸ軸方向の両端間に亘ってＹ軸方向に一斉に移動する。したがって、このような構成の農業用ハウス１によれば、カーテン５の自由端の位置をＸ軸方向の両端間に亘って揃えることができ、Ｘ軸方向においてカーテン５の開度のばらつきを抑制できる。その結果、農業用ハウス１は、カーテン５の開度を調節しやすくなるという利点がある。
【００４６】
また、このようにカーテン５をＸ軸方向の全域に亘り一斉に開閉する場合、開閉装置８は、２組の定滑車８１，８２が同時に回転するように、定滑車８１１，８１２同士、並びに定滑車８２１，８２２同士がシャフト（図示せず）にて連結されていることが望ましい。これにより、開閉装置８は、一方の定滑車８１１，８２１が回転すると、この回転力がシャフトを介して他方の定滑車８１２，８２２に伝達され、両方の紐体８３１，８３２が同時に移動するので、Ｘ軸方向においてカーテン５の開度のばらつきを抑制できる。
【００４７】
また、開閉装置８は、モータなどの駆動源（図示せず）を備え、駆動源の発生する駆動力により定滑車８１，８２を回転させてカーテン５を開閉する構成でもよいし、ユーザが手動で定滑車８１，８２を回転させてカーテン５を開閉する構成であってもよい。いずれの構成であっても、上述したように定滑車８１１，８１２同士、並びに定滑車８２１，８２２同士がシャフトで連結されている場合、開閉装置８は、一方の定滑車８１１，８２１のみを回転させることでカーテン５を開閉できる。
【００４８】
なお、上述した開閉装置８の構成は一例に過ぎず、開閉装置８は、たとえば定滑車８１，８２を用いずに、カーテン５の自由端に結合された紐体８３を手繰り寄せることにより、カーテン５を開閉する構成であってもよい。
【００４９】
ところで、本実施形態の農業用ハウス１は、図２に示すように散水を行うための散水装置１１をさらに備えている。
【００５０】
散水装置１１は、ハウス本体２内に設けられた水噴射部１１１と、水噴射部１１１に水を供給するタンク１１２とを有している。水噴射部１１１は、Ｙ軸方向に沿って各側壁２１，２２際に設けられたパイプからなり、タンク１１２から供給される水をハウス本体２内に噴射するように、その側面に適当な間隔で孔（図示せず）が形成されている。ここで、散水装置１１は、各側壁２１，２２の上端部と下端部とのそれぞれに対応する位置に水噴射部１１１が設けられており、側壁２１，２２の上端部に設けられた水噴射部１１１からはミスト状の水を噴射（噴霧）する。
【００５１】
さらにまた、本実施形態の農業用ハウス１は、各側壁２１，２２の内側に設けられた第１の側カーテン１３と、各側壁２１，２２の外側に設けられた第２の側カーテン１４とを備えている。ここでは一例として、第１の側カーテン１３はカーテン５と同じ素材からなり遮光（減光）性を有し、第２の側カーテン１４は透明である。第１の側カーテン１３と第２の側カーテン１４とは、いずれも上端部が肩部３２１，３２２の近傍に固定されており、Ｚ軸方向（高さ方向）に開閉自在に構成されている。
【００５２】
具体的には、第１および第２の側カーテン１３，１４は、その上端を固定端、下端を自由端として、地面からの自由端の高さ位置が変化することにより、Ｚ軸方向に開閉する。ここで、第１の側カーテン１３と第２の側カーテン１４とでは開閉のための構成は同一であるので、以下では、第１の側カーテン１３を例として、その詳しい構成について図５を参照して説明する。
【００５３】
側カーテン１３は、図５に示すように、下端部に棒状の芯材１３１を有している。ここで、側カーテン１３を開閉するための開閉装置１５は、各側壁２１，２２の上端部に固定された定滑車１５１と、定滑車１５１にて巻取可能な紐体１５２とを有している。ここでいう紐体１５２はたとえばロープやワイヤなどである。紐体１５２は、その一部に側カーテン１３の自由端が結合されている。さらに本実施形態では、側カーテン１３は、紐体１５２との結合部位のＺ軸方向の延長線上に、フック等の引掛具（図示せず）を複数個有しており、これらの引掛具に紐体１５２が挿通されている。
【００５４】
これにより、開閉装置１５は、定滑車１５１を回転させることにより、紐体１５２が移動して、側カーテン１３の自由端を芯材１３１ごとＺ軸方向に移動させることができる。開閉装置１５は、側カーテン１３を開くときには、芯材１３１が上昇するように紐体１５２を移動させ、側カーテン１３を閉じるときには、芯材１３１が下降するように紐体１５２を移動させる。
【００５５】
ここで、開閉装置１５は、定滑車１５１および紐体１５２の組み合わせを２組有しており、側カーテン１３の自由端に設けられた芯材１３１の両端部に各組の紐体１５２を結合している。そのため、開閉装置１５は、定滑車１５１を回転させて両方の紐体１５２を同時に移動させることにより、側カーテン１３の自由端に設けられた芯材１３１のＹ軸方向の両端部を同時に移動させることができる。これにより、側カーテン１３は、自由端がＹ軸方向の両端間に亘ってＺ軸方向に一斉に移動するので、Ｙ軸方向の全域に亘り一斉に開閉する。したがって、このような構成の農業用ハウス１によれば、側カーテン１３の自由端の位置をＹ軸方向の両端間に亘って揃えることができ、Ｙ軸方向において側カーテン１３の開度のばらつきを抑制できる。
【００５６】
また、このように側カーテン１３をＹ軸方向の全域に亘り一斉に開閉する場合、開閉装置１５は、２組の定滑車１５１が同時に回転するように、定滑車１５１同士がシャフト（図示せず）にて連結されていることが望ましい。これにより、開閉装置１５は、一方の定滑車１５１が回転すると、この回転力がシャフトを介して他方の定滑車１５１に伝達され、両方の紐体１５２が同時に移動するので、Ｙ軸方向において側カーテン１３の開度のばらつきを抑制できる。
【００５７】
また、開閉装置１５は、モータなどの駆動源（図示せず）を備え、駆動源の発生する駆動力により定滑車１５１を回転させて側カーテン１３を開閉する構成でもよいし、ユーザが手動で定滑車１５１を回転させて側カーテン１３を開閉する構成であってもよい。いずれの構成であっても、上述したように定滑車１５１同士がシャフトで連結されている場合、開閉装置１５は、一方の定滑車１５１のみを回転させることで側カーテン１３を開閉できる。
【００５８】
ここにおいて、上記構成の農業用ハウス１は、カーテン５と側カーテン１３との間に隙間があると、カーテン５および側カーテン１３が閉じているときでも、この隙間を通して太陽光がハウス本体２内に入射することがある。そこで、本実施形態の農業用ハウス１では、カーテン５は、図６（ａ）に示すようにＸ軸方向の両端部から下方に垂れたフラップ部５３を有しており、このフラップ部５３にて側カーテン１３との隙間を狭めている。ただし、カーテン５は、開閉時にはＹ軸方向に移動するので、フラップ部５３が垂れ下がったままの状態で開閉すると、フラップ部５３が側カーテン１３やハウス本体２のフレーム３等に干渉する可能性がある。
【００５９】
そこで、本実施形態の農業用ハウス１のカーテン５は、Ｙ軸方向に移動する開閉時に、図６（ｂ）に示すようにフラップ部５３を内側に折り返す折返機構（図示せず）を具備している。折返機構は、たとえば反転ばねを用いて構成され、フラップ部５を下方に垂らした図６（ａ）の定常状態と、フラップ部５を内側に折り返した図６（ｂ）の折返状態とを切替可能に構成されている。折返機構は、カーテン５の開閉時に自動的に定常状態から折返状態へと切り替わる構成でもよいし、ユーザが手動で定常状態と折返状態とを切り替える構成であってもよい。農業用ハウス１は、このような折返機構をカーテン５に有することにより、カーテン５の開閉時に側カーテン１３やハウス本体２のフレーム３等との干渉を防止することができる。
【００６０】
なお、側カーテン１３，１４においても、カーテン５と同様にＹ軸方向に開閉するように構成されていてもよい。
【００６１】
以上説明した本実施形態の農業用ハウス１によれば、カーテン５は、Ｙ軸方向（奥行方向）に延長されている支持部６にて支持され、支持部６に沿ってＹ軸方向に開閉するように構成されているので、全開状態のカーテン５による日射量の低下を抑制できる。
【００６２】
すなわち、一般的にカーテン５がＹ軸方向でなくＸ軸方向に開閉する構成では、全開状態のカーテン５は、ハウス本体２の屋根２３の頂部付近、あるいは屋根２３と側壁２１，２２との連結部付近に溜まることになる。これに対して、本実施形態の農業用ハウス１は、全開状態のカーテン５は、ハウス本体２のＹ軸方向の端部に溜まることになるので、カーテン５の全開時、カーテン５がハウス本体２内への日射を遮る場所に溜まることはない。
【００６３】
その結果、農業用ハウス１は、カーテン５によって日射量が低下して農作物の育成に影響を与えることを回避でき、農作物の栽培に適した環境を提供できるようになる。しかも、ハウス本体２内における妻壁２４付近は、通常、出入口や散水用のタンク１１２などが設置されるため、農作物が植えられておらず、全開時に妻壁２４付近に溜まったカーテン５が、農作物の育成に影響を与えることはない。
【００６４】
さらに、この農業用ハウス１は、Ｙ軸方向に延長された支持部６にてカーテン５が支持されているので、Ｘ軸方向に延長されたピアノ線などでカーテン５が支持される構成に比べ、ハウス本体２にカーテン５を付加するための材料費および手間を抑えられる。
【００６５】
また、本実施形態の農業用ハウス１は、ハウス本体２が、Ｙ軸方向（奥行方向）の両端部に、Ｙ軸方向に直交する平面に沿って配置されており少なくとも屋根２３を支持する梁３３を備え、支持部６が梁３３に固定されている。そのため、農業用ハウス１は、既存のハウス本体２に元々ある梁３３を利用して支持部６を取り付けることができるので、カーテン５を支持する支持部６を固定するために、ハウス本体２に専用の部材を付加する必要がない。
【００６６】
また、本実施形態では、支持部６は、一対の側壁２１，２２の対向方向（Ｘ軸方向）に３本以上並べて設けられており、側壁２１，２２から離れるほどカーテン５の高さが高くなるように、側壁２１，２２からの距離に応じてカーテン５を支持する高さが異なる。これにより、カーテン５は、Ｘ軸方向の中央部ほど高い位置に支持されることになるので、ハウス本体２内で立って作業するユーザの邪魔になりにくい。また、カーテン５は、妻壁２４のＸ軸方向の中央部で且つ上端部付近に設けられているファン２４１との干渉を避けることができ、ファン２４１によって生じる空気流の妨げとなることを回避できる。
【００６７】
さらにまた、本実施形態では、カーテン５は、Ｙ軸方向（奥行方向）の各端部において、少なくともＸ軸方向の両端間を連結する芯材５１，５２を有し、芯材５１，５２が支持部６に沿ってＹ軸方向に移動することによって開閉する。したがって、カーテン５は、Ｘ軸方向の両端部が同時に開閉することになり、Ｘ軸方向における開度のばらつきが抑制される。
【００６８】
ところで、本実施形態の変形例として、農業用ハウス１は、図７に示すように、ハウス本体２の内側に設置され少なくとも温度を含む環境情報を検出するセンサ８４と、カーテン５を開閉させる開閉装置８を制御する制御部８５とをさらに備えていてもよい。この変形例において、センサ８４は、たとえば温度センサ、湿度センサ、照度センサを含み、ハウス本体２内空間の温度（室温）と湿度と照度とを環境情報として検出する。制御部８５は、センサ８４の検出結果に応じてカーテン５が自動的に開閉するように、開閉装置８のモータなどの駆動源（図示せず）を制御する。
【００６９】
この変形例によれば、制御部８５は、ハウス本体２内の環境に応じてカーテン５を自動的に開閉させることができ、これにより、ハウス本体２内を所望の環境に維持することができる。たとえば、ハウス本体２内の温度が所定の目標温度よりも低い場合、制御部８５は、カーテン５を開けてハウス本体２内の温度を上昇させるように開閉装置８を制御する。
【００７０】
（実施形態２）
本実施形態の農業用ハウス１は、カーテン５がＹ軸方向（奥行方向）において分割されている点で実施形態１に記載の農業用ハウス１と相違する。以下、実施形態１と同様の構成については、共通の符号を付して適宜説明を省略する。
【００７１】
本実施形態では、図８に示すようにカーテン５は、Ｙ軸方向において同じ長さの第１のカーテン５０１と第２のカーテン５０２（以下、各々を特に区別しないときにはまとめて「カーテン５」という）とに２分割、つまり２等分されている。具体例を挙げると、ハウス本体２のＹ軸方向の全長が５０ｍである場合、各カーテン５はそれぞれＹ軸方向の長さが２５ｍに設定される。支持部６は、ハウス本体２のＹ軸方向の全長に亘って延長されており、両カーテン５に共通である。各カーテン５は、Ｙ軸方向の一端部が、支持部６の長手方向（Ｙ軸方向）の各端部から移動しないように、ハウス本体２のフレーム３（梁３３）に対して固定されている。
【００７２】
この構成によれば、各カーテン５は、Ｙ軸方向におけるハウス本体２の両端側の一端を固定端、ハウス本体２の中央側の他端を自由端として、固定端を定位置に固定しつつ、滑車７１（図３参照）の移動を伴って自由端をＹ軸方向に移動させてＹ軸方向に開閉する。そのため、２分割された両カーテン５０１，５０２は、互いの自由端が最も離れた状態で全開状態となり、互いの自由端が最も近づいた状態で全閉状態となる。なお、各カーテン５は個別に開閉可能であって、開閉装置（図示せず）もカーテン５０１，５０２ごとに設けられている。
【００７３】
以上説明した本実施形態の農業用ハウス１によれば、ハウス本体２のＹ軸方向の長さが比較的長い場合でも、カーテン５がＹ軸方向に分割されているから、各カーテン５０１，５０２の重量を抑えることができる。したがって、この農業用ハウス１は、ユーザがカーテン５を手動で開閉する場合には比較的小さな力でカーテン５を開閉でき、また、開閉装置がカーテン５を自動で開閉する場合には開閉装置に掛かる負荷を小さく抑えることができる。
【００７４】
また、本実施形態においては、ハウス本体２のフレーム３は、Ｙ軸方向の中央部に、Ｙ軸方向に直交する平面に沿って配置されており少なくとも屋根２３を支持する中間梁３４をさらに有している。支持部６は梁３３および中間梁３４に固定されている。これにより、ハウス本体２のＹ軸方向の長さが比較的長い場合であっても、そのＹ軸方向の両端間に亘って設けられた支持部６は、ハウス本体２の両端部と中央部との３箇所で支持されることになる。
【００７５】
したがって、農業用ハウス１は、ハウス本体２のＹ軸方向の長さが比較的長い場合でも、支持部６が自重およびカーテン５の重みによって撓むことを回避できる。ここで、支持部６に撓みが生じると滑車７１が動きにくくなってカーテン５のスムーズな開閉が困難になり、また、支持部６にテンションをかけすぎていると、支持部６の強度やハウス本体２のフレーム３の強度を上げる必要がある。これに対して、本実施形態の農業用ハウス１は、支持部６に必要以上のテンションをかけることなく、支持部６の撓みを防止しているので、支持部６の強度やハウス本体２のフレーム３の強度を上げることなく、カーテン５のスムーズな開閉が可能である。さらに、中間梁３４にはファンが支持されていてもよく、この場合、農業用ハウス１は、ハウス本体２の内部空間の換気をより効率的に行うことができる。
【００７６】
また、支持部６は中間梁３４でＹ軸方向に２分割されていてもよい。この場合、各カーテン５は、分割された各支持部６にそれぞれ支持されるため、農業用ハウス１は、支持部６に撓みが生じ滑車７１が動きにくくなることを回避できる。
【００７７】
なお、カーテン５は、上述したようにＹ軸方向に２分割された構成に限らず、Ｙ軸方向において３分割以上に分割されていてもよい。この場合、中間梁３４は、ハウス本体２のＹ軸方向の中央部だけでなく、ハウス本体２の両端部間における２箇所以上に設けられていてもよい。
【００７８】
その他の構成および機能は実施形態１と同様である。
【００７９】
（実施形態３）
本実施形態の農業用ハウス１は、カーテン５を開閉するための開閉装置の構成が実施形態１の農業用ハウス１と相違する。以下、実施形態１と同様の構成については、共通の符号を付して適宜説明を省略する。
【００８０】
本実施形態では、開閉装置９は、図９に示すようにカーテン５のＹ軸方向の一端からなる自由端に結合された紐体９１と、紐体９１を巻き取る回転ドラム９２と、第１滑車９３と、第２滑車９４と、折返し滑車９５とを有している。ここでいう紐体９１は、実施形態１の紐体８３（図４参照）と同様に、たとえばロープやワイヤなどであり、その一部にカーテン５の自由端が結合されている。第１滑車９３には、回転ドラム９２とカーテン５の自由端との間で紐体９１が掛け回され、第２滑車９４には回転ドラム９２と第１滑車９３との間で紐体９１が掛け回される。
【００８１】
第１滑車９３と折返し滑車９５とは、ハウス本体２のＹ軸方向の両端部に固定された定滑車からなり、ハウス本体２の屋根２３に沿って、つまり屋根２３付近に配置されている。回転ドラム９２は、ハウス本体２の屋根２３に沿って配置されている。ここでは、回転ドラム９２は、Ｙ軸方向において第１滑車９３と折返し滑車９５との間の位置であって、第１滑車９３の近傍に配置されている。さらに、第１滑車９３と折返し滑車９５とは略同じ高さに配置されており、回転ドラム９２は、第１滑車９３および折返し滑車９５よりやや低い位置に配置されている。
【００８２】
第２滑車９４は、回転ドラム９２および第１滑車９３の下方に配置されている。ここでは、第２滑車９４は、地面（地表）付近の定位置に固定された定滑車からなり、回転ドラム９２の真下に配置されている。
【００８３】
本実施形態では、紐体９１は、両端が回転ドラム９２に保持された１本の紐体であるが、折返し滑車９５を折り返し点として折り返されているため、回転ドラム９２からは見かけ上、２本の紐体が引き出されている。以下では説明の便宜上、回転ドラム９２とカーテン５の自由端との間に架かった一方の紐体９１を第１の紐体９１１と呼び、他方の紐体９１を第２の紐体９１２と呼ぶ。つまり、回転ドラム９２からは第１の紐体９１１と第２の紐体９１２との２本の紐体９１が引き出されており、これら第１の紐体９１１と第２の紐体９１２とは、先端（回転ドラム９２と反対側の一端）同士が繋がっている。
【００８４】
ここで、第２の紐体９１２は、その先端が折返し滑車９５で折り返されて第１の紐体９１１に繋がっている。そのため、カーテン５の自由端は、第１の紐体９１１が巻き取られると折返し滑車９５から離れる向きに移動し、第２の紐体９１１が巻き取られると折返し滑車９５に近づく向きに移動する。
【００８５】
第１の紐体９１１および第２の紐体９１２は、いずれも回転ドラム９２とカーテン５の自由端との間で第１滑車９３に掛け回されており、さらに、回転ドラム９２と第１滑車９４との間で第２滑車９４に掛け回されている。言い換えれば、第１の紐体９１１および第２の紐体９１２は、いずれも回転ドラム９２から引き出された部分が第２滑車９４で一旦折り返された後、第１滑車９３を介してカーテン５の自由端に繋がっている。第１滑車９３および第２滑車９４は、それぞれ独立して回転する２個の滑車を有する２連滑車からなる。
【００８６】
回転ドラム９２は、回転軸方向において２区画に等分されており、一方の区画を第１の紐体９１１の巻き取りに使用し、他方の区画を第２の紐体９１２の巻き取りに使用する。ただし、第１の紐体９１１と第２の紐体９１２とでは巻き取りの向きが反対であって、回転ドラム９２が図９の矢印Ａ（実線）の向きに回転したときには第１の紐体９１１が巻き取られ、矢印Ｂ（点線）の向きに回転したときには第２の紐体９１２が巻き取られる。第１の紐体９１１と第２の紐体９１２とは先端同士が繋がっているので、第１の紐体９１１が巻き取られると第２の紐体９１２が回転ドラム９２から引き出され、第２の紐体９１２が巻き取られると第１の紐体９１１が回転ドラム９２から引き出されることになる。
【００８７】
これにより、開閉装置９は、回転ドラム９２を回転させることにより、紐体９１が移動して、カーテン５の自由端をＹ軸方向に移動させることができる。開閉装置９は、カーテン５を閉じるときには、回転ドラム９２を図９の矢印Ａ（実線）の向きに回転させ、第１の紐体９１１にてカーテン５の自由端を第１滑車９３側に手繰り寄せてカーテン５の自由端を固定端から離れる向きに移動させる。一方、開閉装置９は、カーテン５を開くときには、回転ドラム９２を図９の矢印Ｂ（点線）の向きに回転させ、第２の紐体９１２にてカーテン５の自由端を折返し滑車９５側に手繰り寄せてカーテン５の自由端を固定端に近づく向きに移動させる。
【００８８】
また、カーテン５は、実施形態１と同様に、Ｙ軸方向の各端部において、少なくともＸ軸方向の両端間を連結する芯材５１，５２（図１（ｂ）参照）を有しており、芯材５１が支持部６に沿ってＹ軸方向に移動することにより開閉する。そのため、開閉装置９は、紐体９１と回転ドラム９２と第１滑車９３と第２滑車９４と折返し滑車９５との組み合わせを２組有しており、カーテン５の自由端に設けられた芯材５１の両端部に各組の紐体９１を結合している。つまり、開閉装置９は、両方の回転ドラム９２を回転させて両方の紐体９１を同時に移動させることにより、カーテン５の自由端に設けられた芯材５１のＸ軸方向の両端部を同時に移動させることができる。
【００８９】
このようにカーテン５をＸ軸方向の全域に亘り一斉に開閉する場合、開閉装置９は、２組の回転ドラム９２が同時に回転するように、回転ドラム９２同士がシャフト（図示せず）にて連結されていることが望ましい。これにより、開閉装置９は、一方の回転ドラム９２が回転すると、この回転力がシャフトを介して他方の回転ドラム９２に伝達され、両方の紐体９１が同時に移動するので、Ｘ軸方向においてカーテン５の開度のばらつきを抑制できる。
【００９０】
また、開閉装置９は、モータなどの駆動源（図示せず）を備え、駆動源の発生する駆動力により回転ドラム９２を回転させてカーテン５を開閉する構成でもよいし、ユーザが手動で回転ドラム９２を回転させてカーテン５を開閉する構成であってもよい。いずれの構成であっても、上述したように回転ドラム９２同士がシャフトで連結されている場合、開閉装置９は、一方の回転ドラム９２のみを回転させることでカーテン５を開閉できる。
【００９１】
以上説明した構成の農業用ハウス１によれば、屋根２３付近に配置されている回転ドラム９２および第１滑車９３の下方に配置された第２滑車９４によって、回転ドラム９２と第１滑車９３との間で紐体９１が折り返されることになる。したがって、農業用ハウス１は、回転ドラム９２および第１滑車９３の上方に空間的な余裕がなくても、回転ドラム９２および第１滑車９３の下方の空間を利用して回転ドラム９２から第２滑車９４までの距離を稼ぐことができる。つまり、農業用ハウス１は、ハウス本体２の高さを上げることなく、ハウス本体２内部の空間を有効利用して、回転ドラム９２から第２滑車９４までの距離を比較的大きく確保できる。回転ドラム９２は、第２滑車９４までの距離を大きくすることで、フリートアングルが小さくなって、紐体９１をきれいに巻き取ることができる。
【００９２】
さらにまた、本実施形態では、図９に示すように回転ドラム９２および第１滑車９３の下方には、第２滑車９４および紐体９１の周囲を囲むように柵９６が設けられており、第２滑車９４は柵９６に固定されている。柵９６は、Ｙ軸方向に直交する断面が略正方形状となる角筒形状であって、その内側における下端部に第２滑車９４を固定している。これにより、回転ドラム９２と第２滑車９４との間の紐体９１および第１滑車９３と第２滑車９４との間の紐体９１の周囲が柵９６で囲まれることになる。
【００９３】
なお、柵９６は、回転ドラム９２および第１滑車９３の下方において、紐体９１への巻き込みを防止するために設けられており、その各面はたとえばポリカーボネートのような透光性の部材で構成されていてもよいし、網などで構成されていてもよい。
【００９４】
農業用ハウス１は、このような柵９６が設けられていることにより、回転ドラム９２および第１滑車９３の下方に第２滑車９４を設けながらも、紐体９１への巻き込みを防止することができる。しかも、第２滑車９４は柵９６に固定されているので、第２滑車９４を固定するための部材を新たに設置する必要がない。さらに、第２滑車９４は柵９６への固定位置がＺ軸方向において調整されることにより、紐体９１にかかるテンション（張力）
調整することも可能である。
【００９５】
また、本実施形態では、図１０に示すように、カーテン５はＸ軸方向の両端間に亘って延長された帯状の補強帯５４を有している。補強帯５４は、カーテン５の他の部位に比べて強度が高く（撓みにくく）、ここではカーテン５とは別素材で形成された帯状の部材をカーテン５に取り付けることによって構成されている。補強帯５４は、カーテン５のＹ軸方向に所定の間隔（本実施形態では略等間隔）で複数本設けられている。なお、補強帯５４は、たとえば部分的にカーテン５の厚みを増すことによって形成されていてもよい。
【００９６】
カーテン５は、補強帯５４の部分が滑車７１に保持されることにより、補強帯５４の部分が支持部６に吊り下げられるようにして支持部６にて支持される。これにより、カーテン５は、開放時に補強帯５４に沿って折り目ができるので、開閉がスムーズに行われることになる。しかも、カーテン５は、補強帯５４に沿って折り目ができることにより、全開状態ではＹ軸方向に比較的コンパクトに折り畳まれるので、全開状態のカーテン５による日射量の低下を一層抑制できる。
【００９７】
さらに、カーテン５は、各補強帯５４に支持部６の本数分のハトメ５４１を有している。カーテン５は、滑車７１に連結されたフック７３をハトメ５４１に通すことにより、滑車７１に保持される。すなわち、カーテン５は、予め決まった位置に形成されているハトメ５４１を利用して滑車７１に吊り下げられることになる。
【００９８】
そのため、カーテン５を取り付ける際、作業者は、決まった位置に設けられているハトメ５４１にフック７３を通すだけで、簡単にカーテン５を支持部６に吊り下げることができる。しかも、作業者は、クランプでカーテン５の各部を挟む場合に比べると、カーテン５における滑車７１に保持される部分の位置ばらつき（位置ずれ）を小さくできる。さらに、ハトメ５４１は補強帯５４に設けられているので、カーテン５は、滑車７１に吊り下げられる部分の強度を十分に確保できる。
【００９９】
さらにまた、本実施形態では、滑車７１は、支持部６への取付構造として、支持部６に引っ掛けるフックのような引掛具（図示せず）を採用しており、且つ引掛具の部分が支持部６を導入する開放部の幅を可変とするようにばね弾性を有している。これにより、作業者は、治具を用いなくても、支持部６に対する滑車７１の取り付け、取り外しを容易に行えることになり、施工性が向上する。
【０１００】
また、滑車７１は、回転軸の傾きや、回転軸に直交する面内での回転軸の変位をある程度許容するように、遊びを持った構成とされている。これにより、ハウス本体２のＹ軸方向において支持部６のテンションに違いがあっても、滑車７１は、支持部６のＹ軸方向の略全域において比較的スムーズに動作することができる。
【０１０１】
ところで、本実施形態の農業用ハウス１は支持部６の配置にも特徴がある。
【０１０２】
すなわち、支持部６は、カーテン５の上方に配置されており、カーテン５を吊り下げることにより支持している。ここで、支持部６は、図１１に示すように複数本（ここでは３本）の支持部６のうちＸ軸方向の両端に位置する一対の支持部６は、カーテン５におけるＸ軸方向の中央部と両端部との間の部位を吊り下げている。具体的には、複数本の支持部６は、いずれもハウス本体２の側壁２１，２２と屋根２３とを区切る肩部３２１，３２２よりも上方に配置されている。Ｘ軸方向の両端に位置する一対の支持部６は、Ｘ軸方向の中央に位置する支持部６と各肩部３２１，３２２とを結んでできる各面と、屋根２３との間の空間であって、カーテン５におけるＸ軸方向の中央部と両端部との間に対応する位置に配置されている。
【０１０３】
このように、Ｘ軸方向の両端に位置する一対の支持部６は、カーテン５におけるＸ軸方向の中央部と両端部との間の部位を吊り下げることにより、複数本の支持部６に掛かる荷重のばらつきが小さくなる。つまり、複数本（ここでは３本）の支持部６は、Ｘ軸方向の中央に近い支持部６ほど高い位置に配置されているので、Ｘ軸方向の両端に位置する一対の支持部６がカーテン５の両端部を支持する構成では、これら一対の支持部６に掛かる荷重が他より小さくなる。これに対して、本実施形態では、Ｘ軸方向の両端に位置する一対の支持部６は、カーテン５の両端部ではなく、カーテン５におけるＸ軸方向の中央部と両端部との間の部位を吊り下げているので、複数本の支持部６に掛かる荷重の均等化を図ることができる。
【０１０４】
結果的に、本実施形態の農業用ハウス１によれば、カーテン５は、Ｘ軸方向の中央部が最も高くなるように屋根２３の形状に沿って支持されて屋根２３との間に無駄な空間を生じにくい構成としながらも、支持部６に対してスムーズに移動することが可能になる。要するに、この農業用ハウス１は、支持部６に対するカーテン５のスムーズな移動を実現しつつ、ハウス本体２内の空間を有効に利用できるという利点がある。
【０１０５】
さらに本実施形態では、Ｘ軸方向の両端に位置する一対の支持部６は、カーテン５におけるＸ軸方向の中央と両端との中点よりも両端寄りの位置に配置されており、カーテン５におけるＸ軸方向の中央部よりも両端部に近い部位を吊り下げている。図１１の例では、Ｘ軸方向において一対の支持部６からカーテン５の中心の中心までの距離Ｌ１は、これら一対の支持部６からカーテン５の両端までの距離Ｌ２より大きく設定されている（Ｌ１＞Ｌ２）。この構成によれば、カーテン５のうちＸ軸方向の両端に位置する一対の支持部６よりも外側（側壁２１，２２側）の部分の重量が、これら一対の支持部６に掛かることになっても、支持部６に掛かる荷重を比較的小さく抑えることができる。なお、後述する線状部材が設けられている場合には、線状部材に掛かる荷重も比較的小さく抑えられる。
【０１０６】
また、本実施形態の農業用ハウス１は、図１１に示すようにカーテン５における一対の支持部６よりも外側（側壁２１，２２側）の各部分の下方に、Ｙ軸方向に延長された線状部材５５が設けられている。カーテン５は、Ｘ軸方向の両端部が線状部材５５に掛けられている。線状部材５５は、ハウス本体２の内側において側壁２１，２２と屋根２３とを区切る肩部３２１，３２２の近傍に、支持部６と同様にＹ軸方向の全長に亘って張られている。線状部材５５はカーテン５の両端部が垂れないようにするだけであって、カーテン５全体を支持する機能はないので、たとえばエステル線のように支持部６に比べて強度の低い材料で構成される。
【０１０７】
つまり、Ｘ軸方向の両端に位置する一対の支持部６は、カーテン５の両端部ではなく、Ｘ軸方向の中央部と両端部との間の部位を吊り下げているので、線状部材５５がなければ、カーテン５のＸ軸方向の両端部はその自重により垂れ下がることになる。線状部材５５は、カーテン５の両端部が引っ掛けられることにより、カーテン５の両端部が垂れることを防止する。カーテン５は、開閉時には両端部が線状部材５５上を擦れながら移動する。
【０１０８】
このように線状部材５５が設けられていることにより、農業用ハウス１は、支持部６、滑車７１を追加してカーテン５の両端部を吊り下げる場合に比べて、簡単な構成でカーテン５の両端部が垂れることを防止できる。しかも、線状部材５５はカーテン５の下方に配置されるので、カーテン５の両端部の上方に十分な空きスペースがなくても、カーテン５の両端部が垂れることを防止できる。さらに、この農業用ハウス１は、カーテン５は両端部が垂れないことにより、カーテン５の全閉状態においてカーテン５と側壁２１，２２との隙間を小さくでき、この隙間からの漏光を抑制できる。
【０１０９】
また、本実施形態では、カーテン５のＸ軸方向の両端部には、図１１に示すように線状部材５５を囲む留め具５６が取り付けられている。留め具５６は、たとえばリング状に形成され、線状部材５５が挿通された状態でカーテン５に対して取り付けられている。留め具５６は、カーテン５のＸ軸方向の両端部が線状部材５５からずれ落ちないようにできればよく、リング状に限らず、たとえばカーテン５と共に線状部材５５を囲む形状であってもよい。
【０１１０】
農業用ハウス１は、留め具５６を設けたことにより、カーテン５のＸ軸方向の両端部が線状部材５５からずれ落ちることを回避でき、線状部材５５がカーテン５に乗り上げることでカーテン５の開閉動作の妨げとなることを回避できる。結果的に、農業用ハウス１は、カーテン５のスムーズな開閉を実現できる。
【０１１１】
その他の構成および機能は実施形態１と同様である。なお、本実施形態の構成は実施形態２の構成（カーテン５がＹ軸方向に分割された構成）と組み合わせて適用されてもよい。
【０１１２】
ところで、上記実施形態ではハウス本体２のＹ軸方向の両端に位置する各妻壁２４にファン２４１が設けられた農業用ハウス１を例示したが、農業用ハウス１は、定位置に固定されるのではなく可動式のファン（図示せず）を備えていてもよい。
【０１１３】
すなわち、ハウス本体２内に強制的に空気流を生じさせるファンは、ハウス本体２の内部に設けられ、スライドレール（図示せず）などの稼働機構によって支持されることにより、たとえばＸ軸方向（あるいはＹ軸方向）およびＺ軸方向の位置が可変とされる。これにより、ユーザは、ファンの作動時と非作動時とでファンの位置を変えることができ、たとえば作動時には群落の除湿の点で最適とされる２．１ｍ以下の高さとし、非作動時にはトラクタでの耕起作業や除草作業の邪魔にならない位置に移動させることができる。なお、ファンの移動機構は、直線的にファンを移動させる構成に限らず、ファンを回動させながら移動させる構成であってもよい。
【符号の説明】
【０１１４】
１  農業用ハウス
２  ハウス本体
２１，２２  側壁
２３  屋根
３３  梁
５，５０１，５０２  カーテン
５１，５２  芯材
５４  補強帯
５５  線状部材
５６  留め具
６  支持部
８  開閉装置
８４  センサ
８５  制御部
９  開閉装置
９１  紐体
９２  回転ドラム
９３  第１滑車
９４  第２滑車
９６  柵
【図１】
2014057567.tif 000003
【図２】
2014057567.tif 000004
【図３】
2014057567.tif 000005
【図４】
2014057567.tif 000006
【図５】
2014057567.tif 000007
【図６】
2014057567.tif 000008
【図７】
2014057567.tif 000009
【図８】
2014057567.tif 000010
【図９】
2014057567.tif 000011
【図１０】
2014057567.tif 000012
【図１１】
2014057567.tif 000013